(57)【要約】【課題】システムスループットをより向上させることが可能な帯域割当方法を得ること。【解決手段】移動局２が、上りパケットの連続送信の有無を示す継続情報を含めた帯域割当要求をランダムアクセスで送信し、基地局１が、帯域割当要求で要求された上り帯域を割当て、さらに、継続情報が連続送信有を示している場合に移動局２が次の帯域割当要求を送信するために必要な上り帯域を割当て、移動局２が、帯域割当要求で要求した上り帯域および次の帯域割当要求を送信するために必要な上り帯域が割当てられていることを検出した場合に、当該割り当てられた上り帯域で、上りパケットおよび次の帯域割当要求を送信する。【選択図】        図１
2009044686.tif 000002
【特許請求の範囲】
【請求項１】
移動局が送信する上りパケットの帯域を基地局が動的に割当てる無線パケット通信システムの帯域割当方法であって、
前記移動局が、上りパケットの連続送信の有無を示す継続情報を含めた帯域割当要求をランダムアクセスで送信する帯域割当要求ステップと、
前記基地局が、前記帯域割当要求で要求された上り帯域を割当て、さらに、前記継続情報が連続送信有を示している場合に前記移動局が次の帯域割当要求を送信するために必要な上り帯域を割当てる帯域割当ステップと、
前記移動局が、前記帯域割当要求で要求した上り帯域および次の帯域割当要求を送信するために必要な上り帯域、が割当てられていることを検出した場合に、当該割り当てられた上り帯域で、上りパケットおよび次の帯域割当要求を送信する上りパケット送信ステップと、
を含み、
前記基地局は、連続送信無を示す継続情報を含む帯域割当要求を受信するまで、前記帯域割当ステップによる次の帯域割当要求用の上り帯域の割当て処理を、継続することを特徴とする帯域割当方法。
【請求項２】
前記帯域割当ステップでは、
帯域割当要求に含まれる継続情報が連続送信有を示している場合に、当該帯域割当要求で要求された上り帯域の割当てを優先的に行い、
前記移動局は、連続送信する上りパケットを、連続する無線伝送フレームの上り帯域で送信することを特徴とする請求項１に記載の帯域割当方法。
【請求項３】
前記帯域割当ステップでは、
帯域割当要求に含まれる継続情報が連続送信有を示している場合であっても、帯域割当要求用の上り帯域を連続して割当てた回数またはその割当量が、所定の回数または所定の割当量に達している場合には、次の帯域割当要求用の上り帯域の割当て処理を中断することを特徴とする請求項１または２に記載の帯域割当方法。
【請求項４】
前記帯域割当ステップでは、
帯域割当要求に含まれる継続情報が連続送信有を示している場合であっても、帯域割当要求用の上り帯域を連続して割当てた回数またはその割当量が、所定の回数または所定の割当量に達している場合には、連続する次の上りパケット用の上り帯域の割当て処理を、予め既知の所定の期間にわたって保留し、
所定の期間経過後に、前記保留した上り帯域の割当て処理を再開することを特徴とする請求項１、２または３に記載の帯域割当方法。
【請求項５】
前記所定の期間を、前記基地局と前記移動局との間でシステムの負荷状況に応じて一意に決定可能な期間とすることを特徴とする請求項４に記載の帯域割当方法。
【請求項６】
前記帯域割当ステップでは、
帯域割当要求に含まれる継続情報が連続送信有を示している場合であっても、当該帯域割当要求とともに受信した上りパケットに誤りがある場合には、連続する次の上りパケット用の上り帯域の割当て処理を、再送処理により前記誤りがあった上りパケットを正常受信するまで保留し、
正常受信を確認した後に、前記保留した上り帯域の割当て処理を再開することを特徴とする請求項１〜５のいずれか一つに記載の帯域割当方法。
【請求項７】
前記上りパケット送信ステップでは、
前記帯域割当要求で要求した上り帯域および次の帯域割当要求を送信するために必要な上り帯域が割当てられていることを検出した場合に、当該割り当てられた上り帯域で、上りパケットに前記次の帯域割当要求に関する情報を含めて１つのパケットとして送信することを特徴とする請求項１〜６のいずれか一つに記載の帯域割当方法。
【請求項８】
移動局が送信する上りパケットの帯域を基地局が動的に割当てる無線パケット通信システムにおいて、前記基地局が複数のアンテナを用いて同一周波数かつ同一タイミングで複数の移動局と通信することが可能な場合の帯域割当方法であって、
前記複数の移動局が、帯域割当要求をランダムアクセスで送信する帯域割当要求ステップと、
前記基地局が、前記複数の移動局から受信した帯域割当要求で要求された上り帯域のうち、最大の上り帯域を、前記各移動局に割当てる帯域割当ステップと、
前記各移動局が、前記割り当てられた上り帯域で上りパケットを送信し、さらに、上りパケットの連続送信を希望し、かつ前記割り当てられた上り帯域の残りの帯域に帯域割当要求の送信に必要な帯域が確保されている場合には、前記残りの帯域で次の帯域割当要求を送信する上りパケット送信ステップと、
を含むことを特徴とする帯域割当方法。
【請求項９】
請求項１〜８のいずれか一つに記載の帯域割当方法の帯域割当ステップを実行することを特徴とする基地局。
【請求項１０】
請求項１〜８のいずれか一つに記載の帯域割当方法の、帯域割当要求ステップおよび上りパケット送信ステップを実行することを特徴とする移動局。
【請求項１１】
請求項９に記載の基地局と、
請求項１０に記載の移動局と、
を備えることを特徴とする無線パケット通信システム。
【発明の詳細な説明】
【技術分野】
【０００１】
本発明は、無線パケット通信システムにおける帯域割当方法に関するものである。
【背景技術】
【０００２】
従来の無線パケット通信システムで実施されている帯域割当方法では、移動局が、送信開始または終了タイミングを付与した１回の帯域割当要求（予約要求）を行い、基地局が、連続した複数の無線伝送フレーム分の上り帯域を割当てている。これにより、移動局では、上りパケットを継続して送信することが可能となる。すなわち、従来の帯域割当方法では、上り方向のストリーム伝送を行う場合、複数の無線伝送フレームを継続して上り帯域に予約する。
【０００３】
また、従来の帯域割当方法では、１回の帯域割当要求で割当てられた複数の無線伝送フレームの次の無線伝送フレームに対してさらに継続して上り帯域を割当てるために、移動局が、再度終了タイミングを設定した帯域割当要求を行っている。これにより、上り送信のパケットが存在する間は継続して上り帯域を確保することが可能となる（たとえば、特許文献１参照）。
【０００４】
なお、上記従来の帯域割当方法では、帯域割当要求を非競合伝送領域で送信することを前提としているが、基地局が収容する移動局数が増大すると、移動局毎に確保する領域が非常に大きなものとなり、帯域利用効率の上で無駄が多くなる。そこで、以下では、帯域利用効率を向上させるために、帯域割当要求をランダムアクセスで送信する場合の、従来の無線パケット通信の一例について記述する。
【０００５】
たとえば、基地局と移動局の間で固定的な通信帯域を割当てず、無線回線の帯域を複数の移動局で共用する無線パケット通信では、以下の処理が行われる。たとえば、移動局は、上りパケットを送信する場合、上り送信に必要な帯域を予約するため、基地局に対して「上りパケットの情報量」を付与した帯域割当要求を送信する。そして、基地局は、受け取った帯域割当要求に基づきスケジューリングを行うことにより割当タイミングを決定し、その後、その割当タイミングおよび割当量を移動局に通知する。このような無線パケット通信で移動局が送信する帯域割当要求は、一般的に、複数の移動局が非同期にアクセスするランダムアクセスにより送信される。
【０００６】
【特許文献１】特開２００３−６０５６４号公報  Ｐ．７〜１０、図５、図１１
【発明の開示】
【発明が解決しようとする課題】
【０００７】
しかしながら、上述した、基地局と移動局の間で固定的な通信帯域を割当てず、無線回線の帯域を複数の移動局で共用する無線パケット通信では、複数の移動局がランダムアクセスにより同時に帯域割当要求を送信した場合、帯域割当要求が衝突するため、基地局側で帯域割当要求を正常受信することができない。このように、基地局側で帯域割当要求を正常受信できなかった場合は、移動局が帯域割当要求を再送することになるので、システムのスループットが低下する、という問題があった。なお、上記帯域割当要求の衝突の可能性は、基地局が収容する移動局数が多くなるほど高くなる。
【０００８】
また、上記のように無線回線の帯域を複数の移動局で共用する無線パケット通信では、様々なアプリケーションが通信を行うことになるため、パケット長は送信毎に毎回異なる可能性がある。たとえば、インターネットにアクセスしＷｅｂブラウジングを行う場合の双方向ＴＣＰ／ＩＰ通信を考えると、データパケット単位にパケット長が異なるだけでなく、送達確認パケット（ＡＣＫパケット）など、データパケットよりも短いパケットも送信される。このため、パケット送信毎にパケット長に合わせた帯域を確保することにより、無線回線帯域を有効利用することが求められる。
【０００９】
また、上記のように送信毎にパケット長が異なるような無線パケット通信については、すなわち、パケット送信毎にパケット長が変化する場合は、帯域割当要求を無線伝送フレーム毎に行うことになるので、ランダムアクセスによる衝突の可能性が増大し、上記同様、システムスループットが低下する、という問題がある。
【００１０】
また、複数の無線伝送フレームにわたって同一量の帯域を割当てるには、送信毎に変化するパケット長の中で最大パケット長に合わせた帯域を確保する必要があるため、短いパケットを送信する場合には割当てられた無線帯域が無駄になる、という問題がある。
【００１１】
また、移動局がパケット送信中に新たに送信したいパケットが発生した場合、従来の帯域割当方法では、再度の帯域割当要求を行うことになるため、この帯域割当要求についてもランダムアクセスによる衝突の可能性がある、という問題がある。
【００１２】
本発明は、上記に鑑みてなされたものであって、移動局が異なる長さの上りパケットを連続的に送信する場合であっても、帯域割当要求によるランダムアクセスの削減と衝突回避を可能とし、システムスループットを向上させることが可能な帯域割当方法を得ることを目的とする。さらに、ランダムアクセスの衝突を回避することで、帯域割当要求の衝突による再送を回避可能な帯域割当方法を得ることを目的とする。
【課題を解決するための手段】
【００１３】
上述した課題を解決し、目的を達成するために、本発明にかかる帯域割当方法は、移動局が送信する上りパケットの帯域を基地局が動的に割当てる無線パケット通信システムの帯域割当方法であって、たとえば、前記移動局が、上りパケットの連続送信の有無を示す継続情報を含めた帯域割当要求をランダムアクセスで送信する帯域割当要求ステップと、前記基地局が、前記帯域割当要求で要求された上り帯域を割当て、さらに、前記継続情報が連続送信有を示している場合に前記移動局が次の帯域割当要求を送信するために必要な上り帯域を割当てる帯域割当ステップと、前記移動局が、前記帯域割当要求で要求した上り帯域および次の帯域割当要求を送信するために必要な上り帯域、が割当てられていることを検出した場合に、当該割り当てられた上り帯域で、上りパケットおよび次の帯域割当要求を送信する上りパケット送信ステップと、を含み、前記基地局は、連続送信無を示す継続情報を含む帯域割当要求を受信するまで、前記帯域割当ステップによる次の帯域割当要求用の上り帯域の割当て処理を、継続することを特徴とする。
【発明の効果】
【００１４】
この発明によれば、帯域割当要求によるランダムアクセスの衝突を回避することができ、さらに、ランダムアクセスを削減することも可能となるので、システムスループットを向上させることができる。また、移動局が異なる長さの上りパケットを連続的に送信する場合であっても、上り帯域を無駄に占有することなく上りパケットおよび帯域割当要求を基地局に送信することができる。また、ランダムアクセスの衝突による帯域割当要求の再送が低減されるため、移動局の電力消費を抑制することも可能となる。
【発明を実施するための最良の形態】
【００１５】
以下に、本発明にかかる帯域割当方法の実施の形態を図面に基づいて詳細に説明する。なお、この実施の形態によりこの発明が限定されるものではない。
【００１６】
実施の形態１．
図１は、本発明にかかる帯域割当方法を採用する無線パケット通信システムの構成例を示す図である。図１に示す無線パケット通信システムは、たとえば、基地局１と移動局２と上位局３とサーバ４で構成される。また、ネットワーク５は、ＩＰネットワークやＡＴＭネットワークなど、システムに応じて構築されたネットワークである。ここでは、一例として、移動局２が、基地局１，基地局１に接続された上位局３およびネットワーク５経由で、サーバ４とパケットの送受信を行う。また、上位局３は、無線ネットワークに応じて基地局を収容するアクセスゲートウェイ装置や無線制御装置である。なお、上位局３は、基地局１との通信を、上記ネットワーク５を介して行うこととしてもよい。
【００１７】
また、図１の上りパケット（UL  Packet）４０２は、移動局２から基地局１へ送信されるパケットを示し、下りパケット（DL  Packet）４０３は、基地局１から移動局２へ送信されるパケットを示している。これらのパケットには、上位レイヤのデータパケットや送達確認パケットを分割または結合して格納することが可能であるが、ここでは、簡単のため上位レイヤから受信する１つのパケットを無線回線上のパケットフォーマットに合わせて送信することとする。
【００１８】
また、図１の上り帯域割当要求４００は、移動局２による上りパケット４０２の送信に先立ち、上り帯域の割当てを基地局１に対して要求するための制御情報である。この上り帯域割当要求４００には、移動局２が送信しようとする上りパケット４０２の情報量（要求帯域），ＱｏＳ情報，移動局の識別情報などが含まれている。また、帯域割当情報４０１は、移動局２に対して上り帯域の割当てを行うための制御情報である。この帯域割当情報４０１には、移動局２の識別情報，移動局２に対して割当てる帯域情報（送受信位置，帯域量）などが含まれている。
【００１９】
たとえば、基地局１が、移動局２に対して上り帯域の割当てを行い、帯域割当情報４０１を移動局２に対して送信し、移動局２が、帯域割当情報４０１を受信し復調した時点で、移動局２では、上りパケット４０２の送信が可能となる。一方、下りパケット４０３を基地局１が送信する場合、基地局１は、自身で下り帯域の割当てを行い、移動局２の識別情報，自局に対して割当てる帯域情報を含む帯域割当情報４０１を移動局２に対して送信する。これにより、移動局２では、下りパケット４０２を受信することが可能となる。
【００２０】
また、上り帯域割当要求４００の送信には、ランダムアクセスチャネルが用いられ、帯域割当情報４０１の送信には、上り帯域割当要求を行った移動局を含む基地局１配下の複数の移動局が受信可能な報知チャネルまたは共有チャネルが用いられる。また、上りパケット４０２の送信および下りパケット４０３の送信には、基地局１により割当てられた個別チャネルが用いられる。なお、個別チャネルは、単一の移動局が占有できるチャネルであり、無線伝送フレーム毎に送受信位置と帯域量が動的に割当てられる。
【００２１】
つづいて、移動局２とサーバ４との間でパケット転送を行う場合の、基地局１と移動局２の装置構成および基本動作について説明する。
【００２２】
図２は、基地局１の構成例を示す図である。この基地局１は、有線送受信部１１と分配部（Distributor）１２とパケット保持部１３と符号化変調部（CC  and  MOD）１４と復調復号部（DEM  and  DEC）１５と無線送受信部（ＴＲＸ）１６とアンテナ１７と帯域割当部１８とを備えている。また、図３は、移動局２の構成例を示す図である。この移動局２は、上位レイヤ２１と上り送信バッファ２２と符号化変調部２３と無線送受信部２４とアンテナ２５と復調復号部２６と下り受信管理部２７と上り送信管理部２８とを備えている。
【００２３】
まず、基地局１における下りパケット送信動作について説明する。基地局１は、上位局３からパケットを受信すると、そのパケットを有線送受信部１１，分配部１２経由でパケット保持部１３に保存する。パケット保持部１３は、移動局や通信の品質（ＱｏＳまたは優先度）に応じて、キュー１３−１〜１３−ｍにパケットを分類蓄積できるようになっている。この際は、分配部２０２が適切なキューへパケットを分類する。
【００２４】
帯域割当部１８は、キュー１３−１〜１３−ｍに滞留しているパケットから、ＱｏＳや移動局間の公平性を考慮して下り送信するパケットを決定し、下りパケットの送受信位置および帯域量を決定する。下りパケットの帯域量は、パケット保持部１３から取り出したパケットに基づき無線回線伝送用のパケットを構築した場合のパケットサイズであり、無線回線を占有する帯域量に相当する。なお、ここでは、パケットに割当てる帯域として１無線伝送フレーム分の帯域を割当てることとし、複数の下りパケットに対して帯域割当てを行う。
【００２５】
また、帯域割当部１８は、後述する上りパケットに対する帯域割当てやランダムアクセス領域の割当ても行い、ランダムアクセス領域情報や下りおよび上りの帯域情報を含む帯域割当情報４０１を生成する。帯域割当情報４０１には、上記で決定したパケットの送受信位置および帯域量が含まれ、さらに送信先の移動局の識別情報も含まれる。帯域割当部１８は、下りおよび上りの帯域割当てが完了すると、生成した帯域割当情報４０１を符号化変調部１４，無線送受信部１６経由で下り無線回線へ送信する。その後、帯域割当てを行った下りパケット４０３を無線回線へ送信する。
【００２６】
つぎに、基地局１における上りパケット受信動作について説明する。基地局１では、帯域割当部１８が、無線送受信部１６，復調復号部１５経由で、上り帯域割当要求４００または上りパケット４０２を受信する。
【００２７】
たとえば、帯域割当部１８が上り帯域割当要求４００を受信した場合、帯域割当部１８は、帯域割当要求４００に含まれる、移動局２が送信しようとするパケットの情報量やＱｏＳ情報などの情報に基づき、他の移動局から受信した上り帯域割当要求と合わせて上り帯域のスケジューリングを行い、上り帯域を割当てる移動局を決定する。帯域割当部１８は、上りパケットについても下りパケットと同様、複数の移動局に対して帯域を割当てることができる。この帯域割当てにより上りパケットの帯域情報（送受信位置および帯域量）が決定される。
【００２８】
上り帯域の割当てを決定すると、帯域割当部１８は、ランダムアクセスの成否情報や下りパケットの帯域情報と合わせて帯域割当情報４０１を生成し、その帯域割当情報４０１を符号化変調部１４，無線送受信部１６経由で下り無線回線へ送信する。
【００２９】
一方、帯域割当部１８が上りパケットを正常受信した場合、帯域割当部１８は、有線送受信部１１経由で受信したパケットを上位局３へ送信する。なお、受信パケットに誤りがある場合については、基地局１と移動局２との間で再送処理を行うことになるが、ここでは再送機能についての説明を省略する。また、帯域割当部１８では、受信情報のメッセージフォーマットに従って、上り帯域割当要求４００や上りパケット４０２を区別する。
【００３０】
つぎに、移動局２における下りパケット受信動作について説明する。移動局２では、復調復号部２６が受信データの復調および復号を行い、下り受信管理部２７へ受信データを引き渡す。
【００３１】
下り受信管理部２７は、たとえば、受信データとして帯域割当情報４０１を受信すると、自局宛てに割当てられた下りおよび上りの帯域を確認する。そして、下りパケットの帯域が割当てられている場合には、指定された送受信位置から受信を開始し、指定された帯域量だけを受信するように、復調復号部２６に対して指示する。この指示により、無線伝送フレーム内の自局宛て下りパケット４０３を正常受信すると、下り受信管理部２７は、上位レイヤ２１へ受信パケットを引き渡す。なお、受信パケットに誤りがある場合には、基地局１と移動局２との間で再送処理を行うことになるが、ここでは再送機能についての説明を省略する。また、下り受信管理部２７は、受信情報のメッセージフォーマットに従って帯域割当情報４０１や下りパケット４０３を区別する。また、上位レイヤ２１は、移動局２に接続された外部装置が備える構成であってもよい。外部装置が上位レイヤ２１を備える場合は、移動局２と外部装置とが通信するための各レイヤ機能が必要となる。
【００３２】
つぎに、移動局２における上りパケット送信動作について説明する。上位レイヤ２１で発生したパケットは、上り送信バッファ２２に蓄積される。上り送信管理部２８は、上り送信バッファ２２にパケットが蓄積されている場合、そのパケットを取り出し、無線回線上のパケットフォーマットで上りパケット４０２を構築する。その後、上り送信管理部２８は、上りパケットの帯域を基地局１に割当ててもらうため、帯域割当要求４００を生成する。このとき、上り送信管理部２８は、帯域割当要求４００の送信に先立ち、無線伝送フレーム内のランダムアクセス領域を確認する。ランダムアクセス領域情報は、上述したように、帯域割当情報４０１に含まれており、下り受信管理部２７経由で帯域情報とともに上り送信管理部２８へ通知される。
【００３３】
そして、上り送信管理部２８は、上記で生成した帯域割当要求４００を符号化変調部２３，無線送受信部２４経由で、ランダムアクセスで送信し、基地局１からの帯域割当情報４０１を待つ。
【００３４】
下り受信管理部２７が帯域割当情報４０１を受信すると、下り受信管理部２７は、上り帯域の帯域情報およびランダムアクセス領域情報を上り送信管理部２８へ通知する。上り送信管理部２８は、上り帯域が割当てられたことを確認すると、上記で構築した上りパケット４０２を符号化変調部２３，無線送受信部２４経由で基地局１へ送信する。
【００３５】
つづいて、移動局２とサーバ４との間でパケット転送を行う場合の無線伝送フレームについて説明する。
【００３６】
図４は、無線伝送フレームの構成例を示す図である。無線伝送フレーム内の帯域は、基地局１の帯域割当部１８が動的に割当てる。帯域割当情報（Info）４０１は、無線伝送フレームの先頭（図示の報知領域）に配置され、これにより、下りおよび上りのパケットの帯域情報やランダムアクセス領域情報が各移動局に報知される。なお、帯域割当情報４０１には、ランダムアクセスの成否情報やその他の制御情報も含まれる。また、図示の下り個別領域は、下りパケットを受信するために各移動局が占有する領域である。移動局２は、この領域に確保された帯域で下りパケット（Pkt）４０３を受信する。また、図示の上り個別領域は、上りパケットを送信するために各移動局が占有する領域である。移動局２は、この領域に確保された帯域で上りパケット（Pkt）４０２を送信する。また、図示のランダムアクセス領域は、各移動局が非同期にアクセス可能な固定長のスロットで構成された領域である。帯域割当要求（Req）４００がこの領域で伝送される。なお、ここでは、帯域割当情報４０１を、上記のように各種情報を含めた状態で１つの制御情報としているが、これに限らず、下りおよび上りのパケットの帯域情報やランダムアクセス領域情報などを別の制御情報として報知することとしてもよい。
【００３７】
つづいて、本実施の形態の特徴的な動作について説明する。図５は、移動局２が異なる長さの上りパケットを連続的に送信する場合の一例を示す図である。なお、図５では、説明の便宜上、報知領域，下り個別領域，上り個別領域，ランダムアクセス領域の構成が無線伝送フレーム毎（Ｎ〜Ｎ＋３）に同一となっているが、これに限らず、これらの領域は基地局１の帯域割当てにより動的に変化する。また、帯域割当要求４００を受信した基地局１は、システムの負荷状況によっては帯域割当要求４００を受信したフレームの次のフレームで上り帯域を割当てることができない場合があるが、ここでは、一例として、次フレームで上り帯域を割当てることができる場合について説明する。
【００３８】
移動局２は、まず、フレームＮで帯域割当情報４０１ａを受信することで、ランダムアクセス領域のスロット構成を把握し、任意のランダムアクセススロットで上りパケット４０２ａを送信するための帯域割当要求４００ａを送信する。帯域割当要求４００ａは、図６に示すように、従来から帯域割当要求に含まれている情報（移動局識別情報，ＱｏＳ情報，要求帯域）に加えて、継続する上りパケットの有無を示す「継続情報」を含めた固定長の制御情報である。たとえば、継続して送信する上りパケットが存在する場合には、継続情報に「継続有」を示す値が設定される。図５の例では、帯域割当要求４００ａの継続情報として「継続有」が設定される。
【００３９】
帯域割当要求４００ａを受信した基地局１は、次フレームＮ＋１の帯域割当てで、移動局２から要求された上り帯域を割当てる。また、受信した帯域割当要求４００ａには、継続した上りパケットが存在すること、すなわち、「継続有」が示されているので、基地局１は、移動局２が次の帯域割当要求４００ｂを送信するために必要な帯域を加えて、上り帯域を割当てる。基地局１は、次のフレームＮ＋１で、上り帯域情報とランダムアクセスの成功を示す情報を含む帯域割当情報４０１ｂを送信する。この例では、帯域割当情報４０１ｂに、上りパケット４０２ａと帯域割当要求４００ｂの送信に必要な帯域に関する情報が含まれている。なお、この例では、フレームＮ＋１で上り帯域を割当てる場合について記述しているが、システムの負荷状況によっては、フレームＮ＋１よりも後のフレームに上り帯域を割当てることとしてもよい。
【００４０】
移動局２では、帯域割当情報４０１ｂの受信により、帯域割当要求４００ａで要求した帯域よりも大きくかつ次の帯域割当要求４００ｂを送信するために十分な帯域が割当てられたことを検知する。これにより、移動局２は、上りパケット４０２ａに続けて帯域割当要求４００ｂを、他の移動局と競合することなく、かつ上り帯域を無駄に占有することなく、送信することができる。
【００４１】
そして、移動局２は、フレームＮ＋１で、上りパケット４０２ａと帯域割当要求４００ｂを送信する。この例では、移動局２は、上りパケット４０２ｂを送信するための要求帯域と「継続有」を示す継続情報とを含む帯域割当要求４００ｂを送信している。これにより、基地局１では、上記同様に、フレームＮ＋２で上りパケット４０２ｂと帯域割当要求４００ｃを送信するために必要十分な上り帯域を、移動局２に対して割当てることができる。
【００４２】
なお、上記帯域割当要求４００ｂは、ランダムアクセス領域ではなく、競合の無い上り個別領域で送信されることになるが、基地局１は、帯域割当要求４００ｂを正常に受信できたことを移動局２に対して通知する必要がある。そのため、基地局１は、フレームＮ＋２の先頭で送信する帯域割当情報４０１ｂに、正常受信できたことを示す情報（ランダムアクセスの成功と同様な情報）を含めて送信する。
【００４３】
つぎに、フレームＮ＋２で帯域割当情報４０１ｃを受信した移動局２は、上りパケット４０２ｂと帯域割当要求４００ｃを送信する。このとき、移動局２は、帯域割当要求４００ｃに、上りパケット４０２ｃを送信するためだけに必要な要求帯域を含める。そして、上りパケット４０２ｃには継続するパケットが無いため、帯域割当要求４００ｃの継続情報には「継続無」を設定する。
【００４４】
つぎに、「継続無」が設定された帯域割当要求４００ｃを受信した基地局１は、移動局２に対して、要求帯域で示された上り帯域を割当て、フレームＮ＋３で帯域割当情報４０１ｄを送信する。帯域割当情報４０１ｄを受信した移動局２は、要求した帯域が割当てられていることを確認後、上りパケット４０２ｃを送信する。
【００４５】
なお、上記の例では、３つの上りパケット４０２ａ〜４０２ｃを連続送信する場合について記述したが、たとえば、連続送信動作の途中で発生した新たな上りパケットを連続送信する上りパケットとして扱うことで、基地局１は、継続情報が「継続無」を示す帯域割当要求を送信するまで、連続送信動作（次の帯域割当要求用の帯域割当て）を継続することができる。
【００４６】
さらに、上記の例では、移動局２が送信する上りパケットのＱｏＳを特に考慮していなかったが、たとえば、ＱｏＳとして遅延が許容される上りパケットの連続送信中に低遅延が要求される上りパケットが発生した場合に、低遅延の上りパケットに対する帯域割当要求を上り個別領域に割当てられた帯域で優先して送信することもできる。すなわち、異なるＱｏＳの上りパケット間で、上り個別領域に割当てられた帯域割当要求送信用の帯域を共有するようにしてもよい。
【００４７】
このように、本実施の形態では、移動局２が、上りパケットを連続送信する場合に、連続２回目以降の上りパケット送信用の帯域割当要求を他の移動局と競合することのない上り個別領域で送信することとした。これにより、帯域割当要求によるランダムアクセスの衝突を回避することができ、さらに、ランダムアクセスを削減することも可能となるので、システムスループットを向上させることができる。また、移動局２では、異なる長さの上りパケットを連続的に送信する場合であっても、上り帯域を無駄に占有することなく、上りパケットおよび帯域割当要求を基地局１に送信することができる。また、ランダムアクセスの衝突による帯域割当要求の再送が低減されるため、移動局２の電力消費を抑制することも可能となる。さらに、優先度の低い上りパケットの連続送信中に優先度の高い上りパケットが発生した場合には、ランダムアクセスを行うことなく、優先度の高い上りパケット用の帯域割当要求を送信できるようにしたので、ランダムアクセスに伴う送信待機動作の省略や衝突回避を実現することができる。したがって、優先度の高い上りパケットの転送遅延時間を短縮することが可能となる。
【００４８】
実施の形態２．
つづいて、実施の形態２について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１と異なる動作について説明する。
【００４９】
前述した実施の形態１では、継続情報が「継続有」を示す帯域割当要求を受信した基地局１が、必ず上り個別領域で継続して帯域割当要求を送信できるように帯域割当てを行っていた。しかしながら、たとえば、移動局２が上りパケットの連続送信を行うと、移動局２に対して割当てる帯域が増加することとなり、その他の移動局に割当てる帯域が減少する。すなわち、移動局２の上りパケット送信が優先的に扱われることと同様な状況が生じることになる。そこで、実施の形態２では、このような状況が公平性の観点から問題となる場合に、基地局１が、帯域割当要求の継続情報を無効とし、連続送信動作を中断できるようにする。
【００５０】
図７は、実施の形態２の特徴的な動作を示す図である。本実施の形態の基地局１は、上り個別領域に帯域割当要求用の帯域を割当てた連続回数をカウントする機能を持つこととする。図７では、カウントの様子を、連続割当回数５００ａ〜５００ｃで示している。具体的には、基地局１は、フレームＮ＋１の帯域割当てを実施した時点で連続割当回数５００ａの値“０”をインクリメントし、連続割当回数５００ｂの値を“１”とする。なお、ここでは、一例として、連続割当回数のカウントを移動局毎に行う場合について記述するが、各移動局で実行中の通信のＱｏＳ毎に行うこととしてもよい。また、移動局２が、継続情報が「継続有」を示す帯域割当要求（図７では帯域割当要求４００ｂ）を送信するまでの動作については、前述した実施の形態１と同様である。
【００５１】
その後、上り個別領域で帯域割当要求４００ｂを受信すると、基地局１は、連続割当回数５００ｂを参照する。そして、カウント値が予め定めた回数（図７では“１”）に達しているので、基地局１では、帯域割当要求４００ｂに設定されている継続情報「継続有」を無効とする。すなわち、図７の例では、予め定めた回数（＝１）に達しているので、基地局１は、フレームＮ＋２で移動局２が帯域割当要求を送信するための上り帯域を割当てず、要求された上りパケットの帯域のみを割当てる。これにより、継続送信する上りパケットが存在した場合であっても、移動局２は、フレームＮ＋２では上りパケット４０２ｂしか送信することができない。すなわち、連続送信動作が中断されることとなる。なお、基地局１は、継続情報が「継続無」の帯域割当要求を受信した場合、または、継続情報を無効とした場合、連続割当回数をクリア（０に設定）する。
【００５２】
このように、本実施の形態では、移動局間で帯域割当の公平性を保つことが必要な場合、基地局１が連続送信動作を中断させることとした。これにより、移動局間で公平性を保つことができる。
【００５３】
なお、本実施の形態では、上り個別領域に帯域割当要求用の帯域を割当てた連続回数により連続送信動作の中断を判断していたが、これに限らず、移動局が連続送信を行った上りパケットの合計帯域に基づいて、連続送信動作の中断を判断することとしてもよい。
【００５４】
実施の形態３．
つづいて、実施の形態３について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１，２と異なる動作について説明する。
【００５５】
実施の形態３では、基地局１が上り帯域割当ての優先度を制御する場合の動作を説明する。図８は、実施の形態３の特徴的な動作を示す図である。図８に示す帯域割当要求４００ａ〜４００ｃは、図５の帯域割当要求と同じ信号であり、上りパケットを連続送信するための継続情報が設定されている。また、帯域割当要求４００ｄは、継続する上りパケットが無い状態の帯域割当要求であり、継続情報は「継続無」が設定されている。
【００５６】
本実施の形態の基地局１は、継続情報が「継続有」を示す帯域割当要求を受信した場合、または、上り個別領域で帯域割当要求を受信した場合、上り帯域割当ての優先度を上げるように動作する。すなわち、帯域割当要求４００ａ〜４００ｃを受信した場合、基地局１は、これら帯域割当要求で要求された上り帯域の割当てを優先的に行う。図８では、優先度情報を「優先」と設定している。一方、帯域割当要求４００ｄを受信した場合、優先度の変更は行わず、優先度情報を「−」とする。図８では、この様子を、基地局１における上り帯域割当ての優先度情報５１０ａ〜５１０ｄで表現している。
【００５７】
なお、本実施の形態では、帯域割当要求４００ａ〜４００ｃを受信した基地局は、上記のように優先度を上げることで、上りパケット４０２ａ〜４０２ｃに対する上り帯域を、連続したフレームＮ＋１〜Ｎ＋３で割当てることになる。また、優先度の変更が無い帯域割当要求４００ｄを受信した場合、基地局１は、たとえば、フレームＮ＋４で帯域割当要求を受信しているが、上りパケット４０２ｄに対する上り帯域を、その次のフレームではなく、フレームＮ＋７で割当てることができる。
【００５８】
以上のように、本実施の形態では、上りパケットの連続送信時に上り帯域割当ての優先度を上げることとした。これにより、送信するパケット量が多い移動局は、パケットの連続送信時間を短縮することができる。また、パケットの連続送信時間の短縮により、電力消費を抑えることも可能となる。
【００５９】
また、本実施の形態では、実施の形態２と同様の方法（優先度情報をクリアする）で、上りパケットの連続送信を中断できるようにしてもよい。すなわち、帯域割当ての優先度を上げた場合であっても、予め定めた一定回数または一定量の上りパケット送信を行った時点で、帯域割当ての優先度を下げるようにする。また、帯域割当ての優先度を下げた場合には、予め定めた一定期間（一定フレーム数）後に再度優先度を上げるようにする。これにより、移動局間の公平性を保つことができる。
【００６０】
実施の形態４．
つづいて、実施の形態４について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１〜３と異なる動作について説明する。
【００６１】
前述した実施の形態２および実施の形態３では、連続送信動作の中断後に次回の上り帯域割当てがいつ実施されるのか、について、移動局２側で把握することができない。そのため、移動局２は、中断された後、帯域割当情報を毎フレーム受信して上り帯域の割当てを待つことになる。このような動作は、移動局の電力消費の増加を招く恐れがあるため、実施の形態４では、基地局１に上り帯域割当てを予め既知の期間にわたって保留する機能を持たせ、移動局２が、予め既知の保留期間については送受信動作を停止することにより、電力消費の増加を回避することとした。
【００６２】
図９は、実施の形態４の特徴的な動作を示す図である。図９に示す帯域割当要求４００ａ〜４００ｃは、図５の帯域割当要求と同じ信号であり、上りパケットを連続送信するための継続情報が設定されている。また、連続割当回数５２０ａ〜５２０ｃは、図７に示した連続割当回数と同様に、上り個別領域に帯域割当要求用の帯域を割当てた連続回数を表す。ただし、本実施の形態では、連続割当回数を、基地局１だけでなく移動局２でも管理する。すなわち、移動局２では、上り個別領域で帯域割当要求を送信した連続回数を管理する。
【００６３】
また、図９では図７と異なり、基地局１は、帯域割当要求４００ｂに設定されている継続情報を無効とせず、帯域割当要求４００ｃを移動局２が送信するための帯域を上り個別領域に割当てている。その後、移動局２では、フレームＮ＋２で上りパケット４０２ｂと帯域割当要求４００ｃを送信し、基地局１では、これらを受信する。そして、基地局１および移動局２双方で連続割当回数５２０ｃの値が「２」となる。
【００６４】
ここで、基地局１および移動局２では、連続割当回数が予め定めた値（図９では“２”）に達したので、帯域割当要求４００ｃに対する帯域割当てが「保留」であると判断する。すなわち、ここでは、連続割当回数５２０ｃが予め定めた回数“２”となったため、基地局１が、フレームＮ＋２の帯域割当要求４００ｃを所定の期間にわたって保留し、移動局２が、基地局１が帯域割当要求を所定の期間にわたって保留すると判断する。また、帯域割当要求４００ｃの保留は、基地局１と移動局２との間で予め定めた所定の期間（フレーム数）だけ保留した後に解除する。基地局１は、保留解除後、帯域割当てを再開する。
【００６５】
図９では、フレームＮ＋３で１フレーム分だけ保留した後、フレームＮ＋４で帯域割当てを再開している。すなわち、フレームＮ＋３の帯域割当情報４０１ｄには、移動局２に対する帯域情報が含まれず、フレームＮ＋４以降の帯域割当情報４０１ｅに移動局２に対する帯域情報が含まれることになる。その結果、移動局２は、フレームＮ＋３では送受信動作を行わず、その後のフレームＮ＋４で継続する上りパケット４０２ｃを送信する。
【００６６】
なお、図９では、帯域割当要求４００ｃの継続情報が「継続無」であるため、フレームＮ＋４で上りパケット４０２ｃの上り帯域だけが割当てられているが、たとえば、帯域割当要求４００ｃの継続情報が「継続有」の場合には、移動局２が、フレームＮ＋４で上りパケット４０２ｃと帯域割当要求を送信することになる。ただし、実施の形態２で示したように基地局１により連続送信動作が中断された場合については、その限りではない。また、基地局１と移動局２は、帯域割当要求の保留が実施された場合、連続割当回数５２０ｄをクリア（０に設定）する。
【００６７】
また、本実施の形態では、上記保留の条件を連続割当回数としていたが、これに限らず、たとえば、移動局２が連続送信を行った上りパケットの合計帯域により、保留するかどうかを判断するようにしてもよい。保留の条件を合計帯域とする場合は、基地局１と移動局２との間で、保留の条件となる合計帯域の値を予め決定しておく必要がある。
【００６８】
以上のように、本実施の形態では、基地局１が上り帯域割当てを保留する機能を持ち、移動局２が予め既知の保留期間については送受信動作を停止することとした。これにより、移動局間の公平性と移動局の電力消費抑制を同時に達成することができる。すなわち、上りパケットの連続送信動作を一時的に中断できるため、実施の形態２と同等の公平性を達成でき、また、移動局２が上り帯域割当てが実施されない期間を認識できるため、帯域割当てを待つ間の受信動作が行われず、電力消費を抑えることができる。
【００６９】
実施の形態５．
つづいて、実施の形態５について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１〜４と異なる動作について説明する。
【００７０】
前述した実施の形態４では、上り帯域割当てを保留する期間を「予め定めた期間」としていたが、実施の形態５では、システムの負荷状況に応じて保留期間を動的に決定する。
【００７１】
具体的には、図９における帯域割当要求４００ｃの保留期間を以下のように決定する。基地局１は、帯域割当て待ちとなっているパケット量に応じて「負荷状況を示す情報」を帯域割当情報４０１に付与して、報知する（図１０参照）。そして、基地局１と移動局２では、たとえば、図１１に示すように、負荷状況を示す情報から「保留期間」が一意に決まる保留期間テーブルを持つ。保留期間（図１０では保留するフレーム数）は、基地局１で帯域割当て待ちとなっているパケット量が多い、すなわち、負荷が高いほど、長くなるように一意に決定される。このように、基地局１が図９の帯域割当情報４０１ａ〜４０１ｅに負荷状況を付与して報知することによって、基地局１と移動局２では、同一の保留期間を一意に決定することができる。
【００７２】
なお、上記の例で示す帯域割当情報では、保留期間を負荷状況により間接的に示していたが、保留期間を直接示すこととしてもよい。
【００７３】
以上のように、本実施の形態では、上り帯域割当ての保留期間を動的に変更可能な構成とした。これにより、システムの負荷が低いにもかかわらず、固定的な期間だけ保留されてしまう無駄をなくすことができるので、上りパケット転送の遅延時間を短縮することが可能となる。
【００７４】
実施の形態６．
つづいて、実施の形態６について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１〜５と異なる動作について説明する。
【００７５】
前述した実施の形態１〜５では、移動局２が送信した上りパケットに誤りが発生し、上りパケットが再送される場合について、特に説明していない。一方で、再送制御の一つである「ＳＲ（Selective  Repeat）」のように、再送により正常受信するパケットの順序が入れ替わることを許容する無線パケット通信システムでは、再送が発生しても問題なく通信を継続することができる。この場合は、再送の上りパケットも、連続送信する上りパケットの一部として考えることができる。実施の形態６では、上りパケットの順序逆転を許容しない場合、すなわち、再送制御の一つである「Ｇｏ  Ｂａｃｋ  Ｎ」や「Ｓｔｏｐ＆Ｗａｉｔ」が用いられるような場合に、帯域割当要求を保留することで無駄な上り帯域割当てを防ぐ例を説明する。
【００７６】
図１２は、実施の形態６の特徴的な動作を示す図である。具体的には、上りパケット４０２ａに誤りが発生し、フレームＮ＋２で、基地局１からの下り制御パケット４０４ａとしてＮＡＣＫが送信され、同フレームＮ＋２で上りパケット４０２Ａが再送される様子を示している。再送制御は、一例として、「Ｓｔｏｐ＆Ｗａｉｔ」が適用されているものとする。なお、帯域割当要求４００ａ〜４００ｃは、図５および図９と同じものである。
【００７７】
基地局１では、上りパケット４０２ａに誤りを検出し、帯域割当要求４００ｂを正常受信できた場合は、継続する上りパケット４０２ｂを送受信する前に上りパケット４０２ａの再送を完了させるため、帯域割当要求４００ｂを保留する。その後、基地局１は、フレームＮ＋２でＮＡＣＫを送信する。そして、ＮＡＣＫを受信した移動局２が、同フレームＮ＋２で上りパケット４０２Ａを再送する。基地局１では、パケット４０２Ａを正常受信すると、帯域割当要求４００ｂの保留を解除し、帯域割当てを再開する。すなわち、基地局１では、帯域割当情報４０１ｄに上りの帯域情報を含めて送信し、移動局２は、上りパケット４０２ｂおよび帯域割当要求４００ｃを送信する。
【００７８】
なお、上りパケット４０２Ａに対する上り帯域割当ては、基地局１が上りパケットの再送が行われることを認識できるため、帯域割当情報４０１ｃで上り帯域を再割当てすることとするが、たとえば、再送用の上り帯域については別途ランダムアクセスで帯域割当要求を行うことで確保するようにしてもよい。
【００７９】
以上のように、本実施の形態では、上りパケットの誤りを検出した時点から当該上りパケットの再送が完了するまでの間、次の上りパケット送信用の帯域割当要求を保留することとした。これにより、前述した実施の形態１〜５で得られる効果に加えて、さらに、再送時の上りパケットの順序逆転を防ぐことができる。
【００８０】
実施の形態７．
つづいて、実施の形態７について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１〜６と異なる動作について説明する。
【００８１】
前述した実施の形態１〜６では、上りパケットと帯域割当要求を別々のパケットとして扱い、上り個別領域でこれらを連続して送信していた。実施の形態７では、帯域割当要求の情報を上りパケットに含め、１つのパケットとする。この場合、移動局２は、送信する上りパケットに、継続する上りパケットに対する要求帯域を含めて、その合計帯域を基地局に対して要求する。そして、基地局１では、上りパケット受信時に継続パケットの要求帯域を参照することで、継続的に上りパケットの帯域割当てを行う。
【００８２】
以上のように、本実施の形態では、前述した実施の形態１〜６で示した上りパケットに帯域割当要求の情報を含めて送信することとした。これにより、前述した実施の形態１〜６と同様な効果を得ることができる。
【００８３】
実施の形態８．
つづいて、実施の形態８について説明する。なお、無線パケット通信システムの構成、移動局２とサーバ４との間でパケット転送を行う場合の基地局１と移動局２の装置構成および基本動作、については、前述した実施の形態１と同様である。本実施の形態では、前述した実施の形態１〜７と異なる動作について説明する。
【００８４】
前述した実施の形態１〜７では、基地局１と複数の移動局が上り個別領域や下り個別領域でパケット送受信を行う場合に、たとえば、基地局１と１つの移動局２が同一タイミングでパケット送受信を行う動作について記述した。実施の形態８では、基地局１が複数のアンテナを持ち、各アンテナの方向や設置位置に応じて、同一周波数かつ同一タイミングで複数の移動局と通信することが可能な無線パケット通信システムについて記述する。すなわち、各アンテナを異なるエリアに分散配置するようなシステムへの適用例を示す。以下、一例として、基地局１が３つのセクタを管理し、各セクタで同一周波数を用いるシステムへの適用例を示す。
【００８５】
基地局１は、同一周波数で各セクタにおける送受信を行う。基地局１は、隣接セクタ間の干渉を避けるため、各セクタに対して送信する帯域割当情報４０１を、全て同一タイミングかつ同一内容で報知する。従って、同一タイミングで基地局１と複数の移動局が上りパケットを送受信する場合には、図１３に示すように、各移動局から要求された上り帯域のうち最大の上り帯域を確保する。図１３では、移動局Ｘ，Ｙ，Ｚ（たとえば、実施の形態１の機能を有する）がそれぞれ上りパケット４０２Ｘ，４０２Ｙ，４０２Ｚを送信し、それぞれが必要な上り帯域を基地局１に対して要求する。
【００８６】
基地局１では、要求帯域の最も大きい上りパケット４０２Ｘの要求帯域を、上り個別領域に確保する。なお、各移動局は、実施の形態１と同様、継続する上りパケットがありかつ要求した上り帯域よりも大きい帯域が基地局１から割当てられた場合は、上りパケットに続けて帯域割当要求の送信ができることとする。一方で、帯域割当要求には図６に示したような継続情報は無いこととする。
【００８７】
また、基地局１は、移動局から要求された上り帯域よりも大きい帯域かつ帯域割当要求を上りパケットに続けて送信するのに十分な帯域、を確保した場合には、上り個別領域で移動局から帯域割当要求を受信可能と判断する。また、図１３では、移動局Ｙは、要求した上り帯域よりも大きい帯域が割当てられていれるが、上りパケット４０２Ｙの送信に続けて帯域割当要求の送信に必要な帯域は確保されていないため、上り個別領域での帯域割当要求の送信は行わない。一方で、移動局Ｚは、要求した上り帯域よりも大きい帯域が割当てられかつ上りパケット４０２Ｚの送信に続けて帯域割当要求の送信に必要な帯域、が確保されているため、上り個別領域で帯域割当要求４００Ｚの送信を行う。
【００８８】
なお、本実施の形態では、帯域割当要求に継続情報を設けず、移動局Ｘから要求された上りパケット４０２Ｘの帯域のみを基地局１が確保しているが、帯域割当要求に継続情報を設け、移動局Ｘに継続する上りパケットがある場合には、上りパケット４０２Ｘの帯域に加えて帯域割当要求用の上り帯域が確保されるようにしてもよい。このような場合、全ての移動局Ｘ，Ｙ，Ｚで、上り個別領域での帯域割当要求の送信が可能となる。
【００８９】
以上のように、本実施の形態では、複数の移動局が同一タイミングで上りパケットを送信できるようなシステムであって、各移動局が送信しようとする上りパケットよりも大きい帯域が割当てられた場合に、上りパケット送信後の余った帯域で帯域割当要求を行うことを可能とする。これにより、実施の形態１と同様の効果を得ることができるとともに、さらに、上り帯域の有効利用を図ることができる。
【産業上の利用可能性】
【００９０】
以上のように、本発明にかかる帯域割当方法は、無線パケット通信システムに有用であり、特に、移動局が上りパケットを連続送信する場合の基地局による帯域割当方法として適している。
【図面の簡単な説明】
【００９１】
【図１】本発明にかかる帯域割当方法を採用する無線パケット通信システムの構成例を示す図である。
【図２】基地局の構成例を示す図である。
【図３】移動局の構成例を示す図である。
【図４】無線伝送フレームの構成例を示す図である。
【図５】実施の形態１の特徴的な動作を示す図である。
【図６】帯域割当要求の一例を示す図である。
【図７】実施の形態２の特徴的な動作を示す図である。
【図８】実施の形態３の特徴的な動作を示す図である。
【図９】実施の形態４の特徴的な動作を示す図である。
【図１０】帯域割当情報の一例を示す図である。
【図１１】保留期間テーブルの一例を示す図である。
【図１２】実施の形態６の特徴的な動作を示す図である。
【図１３】複数の移動局から要求された上り帯域のうち最大の上り帯域を確保する場合の一例を示す図である。
【符号の説明】
【００９２】
１  基地局
２  移動局
３  上位局
４  サーバ
５  ネットワーク
１１  有線送受信部
１２  分配部（Distributor）
１３  パケット保持部
１４  符号化変調部（CC  and  MOD）
１５  復調復号部（DEM  and  DEC）
１６  無線送受信部（ＴＲＸ）
１７  アンテナ
１８  帯域割当部
２１  上位レイヤ
２２  上り送信バッファ
２３  符号化変調部
２４  無線送受信部
２５  アンテナ
２６  復調復号部
２７  下り受信管理部
２８  上り送信管理部
４００，４００ａ〜４００ｄ，４００Ｚ  帯域割当要求（Req）
４０１，４０１ａ〜４０１ｆ  帯域割当情報（Info）
４０２，４０２ａ〜４０２ｄ，４０２Ｘ，４０２Ｙ，４０２Ｚ  上りパケット（Pkt）
４０３  下りパケット（Pkt）
４０４ａ〜４０４ｄ  下り制御パケット
５００ａ〜５００ｃ  連続割当回数
５１０ａ〜５１０ｄ  優先度情報
５２０ａ〜５２０ｃ  連続割当回数
【図１】
2009044686.tif 000003
【図２】
2009044686.tif 000004
【図３】
2009044686.tif 000005
【図４】
2009044686.tif 000006
【図５】
2009044686.tif 000007
【図６】
2009044686.tif 000008
【図７】
2009044686.tif 000009
【図８】
2009044686.tif 000010
【図９】
2009044686.tif 000011
【図１０】
2009044686.tif 000012
【図１１】
2009044686.tif 000013
【図１２】
2009044686.tif 000014
【図１３】
2009044686.tif 000015